【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、１つ以上のレンズ群を含む後群から構成され、ズーミングに際して、少なくとも２つのレンズ群が移動するズームレンズであって、前記第１レンズ群は、正の屈折力の光学素子と負の屈折力の光学素子を接合した複合光学素子を有し、前記正の屈折力の光学素子の材料の屈折率とアッベ数を各々ｎｄ１ｐ、νｄ１ｐ、前記負の屈折力の光学素子の材料の屈折率とアッベ数を各々ｎｄ１ｎ、νｄ１ｎとするとき、
２．４５＜ｎｄ１ｐ−（９．３×１０−５×νｄ１ｐ２−１．７×１０−２×νｄ１ｐ）＜３．００
５．０＜νｄ１ｐ＜８０．０
１．３５＜ｎｄ１ｎ＜２．３５
５．０＜νｄ１ｎ＜４５．０
なる条件を満足することを特徴とするズームレンズ。
【請求項２】
前記第１レンズ群の正の屈折力の光学素子の空気中での焦点距離をf1p、前記第１レンズ群の焦点距離をf1とするとき、
０．２＜ｆ１ｐ／ｆ１＜３．０
なる条件を満足することを特徴とする請求項１に記載のズームレンズ。
【請求項３】
前記第１レンズ群の負の屈折力の光学素子の空気中での焦点距離をf1n、前記第１レンズ群の焦点距離をf1とするとき、
１．０＜｜ｆ１ｎ／ｆ１｜＜６．０
なる条件を満足することを特徴とする請求項１又は２に記載のズームレンズ。
【請求項４】
前記第１レンズ群の負の屈折力の光学素子の空気中での焦点距離をf1n、全系の広角端における焦点距離をfw、全系の望遠端における焦点距離をftとするとき、
５０＜｜（νｄ１ｎ×ｆ１ｎ）／√（ｆｗ×ｆｔ）｜＜５００
なる条件を満足することを特徴とする請求項１乃至３のいずれか１項に記載のズームレンズ。
【請求項５】
前記第１レンズ群の焦点距離をf1、全系の広角端における焦点距離をfw、全系の望遠端における焦点距離をftとするとき、
１．５＜ｆ１／√（ｆｗ×ｆｔ）＜６．０
なる条件を満足することを特徴とする請求項１乃至４のいずれか１項に記載のズームレンズ。
【請求項６】
前記第１レンズ群と前記第２レンズ群の望遠端における合成焦点距離をf12t、全系の望遠端における焦点距離をftとするとき、
０．２＜｜ｆ１２ｔ／ｆｔ｜＜２．０
なる条件を満足することを特徴とする請求項１乃至５のいずれか１項に記載のズームレンズ。
【請求項７】
前記負の屈折力の光学素子の空気に接する面は非球面形状であることを特徴とする請求項１乃至６のいずれか１項に記載のズームレンズ。
【請求項８】
前記第１レンズ群の正の屈折力の光学素子のレンズ中心肉厚をｄ1p、前記負の屈折力の光学素子のレンズ中心肉厚の総和をｄ1nとするとき、
５．０＜ｄ１ｐ／ｄ１ｎ＜６０．０
なる条件を満足することを特徴とする請求項１乃至７のいずれか１項に記載のズームレンズ。
【請求項９】
固体撮像素子に像を形成することを特徴とする請求項１乃至８のいずれか１項に記載のズームレンズ。
【請求項１０】
請求項１乃至９のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００２１
【補正方法】変更
【補正の内容】
【００２１】
本発明のズームレンズは、物体側より像側へ順に、正の屈折力の第１レンズ群、負の屈折力の第２レンズ群、１つ以上のレンズ群を含む後群から構成され、ズーミングに際して、少なくとも２つのレンズ群が移動するズームレンズであって、前記第１レンズ群は、正の屈折力の光学素子と負の屈折力の光学素子を接合した複合光学素子を有し、前記正の屈折力の光学素子の材料の屈折率とアッベ数を各々ｎｄ１ｐ、νｄ１ｐ、前記負の屈折力の光学素子の材料の屈折率とアッベ数を各々ｎｄ１ｎ、νｄ１ｎとするとき、
２．４５＜ｎｄ１ｐ−（９．３×１０−５×νｄ１ｐ２−１．７×１０−２×νｄ１ｐ）＜３．００
５．０＜νｄ１ｐ＜８０．０
１．３５＜ｎｄ１ｎ＜２．３５
５．０＜νｄ１ｎ＜４５．０
なる条件を満足することを特徴としている。
【手続補正３】
【補正対象書類名】明細書
【補正対象項目名】００６６
【補正方法】変更
【補正の内容】
【００６６】
０．２＜ｆ１ｐ／ｆ１＜３．０    ・・・（５）
１．０＜｜ｆ１ｎ／ｆ１｜＜６．０      ・・・（６）
５０＜｜（νｄ１ｎ×ｆ１ｎ）／√（ｆｗ×ｆｔ）｜＜５００      ・・・（７）
１．５＜ｆ１／√（ｆｗ×ｆｔ）＜６．０      ・・・（８）
０．２＜｜ｆ１２ｔ／ｆｔ｜＜２．０      ・・・（９）
５．０＜ｄ１ｐ／ｄ１ｎ＜６０．０      ・・・（１０）
【手続補正４】
【補正対象書類名】明細書
【補正対象項目名】００７２
【補正方法】変更
【補正の内容】
【００７２】
０．４＜ｆ１ｐ／ｆ１＜２．５    ・・・（５ａ）
【手続補正５】
【補正対象書類名】明細書
【補正対象項目名】００７７
【補正方法】変更
【補正の内容】
【００７７】
１．２＜｜ｆ１ｎ／ｆ１｜＜５．５      ・・・（６ａ）
【手続補正６】
【補正対象書類名】明細書
【補正対象項目名】００８２
【補正方法】変更
【補正の内容】
【００８２】
７０＜｜（νｄ１ｎ×ｆ１ｎ）／√（ｆｗ×ｆｔ）｜＜４００      ・・・（７ａ）
【手続補正７】
【補正対象書類名】明細書
【補正対象項目名】００８７
【補正方法】変更
【補正の内容】
【００８７】
１．８＜ｆ１／√（ｆｗ×ｆｔ）＜５．５      ・・・（８ａ）
【手続補正８】
【補正対象書類名】明細書
【補正対象項目名】００９２
【補正方法】変更
【補正の内容】
【００９２】
０．４＜｜ｆ１２ｔ／ｆｔ｜＜１．８      ・・・（９ａ）
【手続補正９】
【補正対象書類名】明細書
【補正対象項目名】００９７
【補正方法】変更
【補正の内容】
【００９７】
１０．０＜ｄ１ｐ／ｄ１ｎ＜５５．０      ・・・（１０ａ）
【手続補正１０】
【補正対象書類名】明細書
【補正対象項目名】０１２５
【補正方法】変更
【補正の内容】
【０１２５】
また、第２レンズ群Ｌ２を光軸上移動させてフォーカシングを行うインナーフォーカス方式を採用している。第２レンズ群Ｌ２の実線の曲線２ａと点線の曲線２ｂは、各々無限遠物体と近距離物体にフォーカスしているときの広角端から望遠端のズーミングの際の像面変動を補正するための移動軌跡である。
【手続補正１１】
【補正対象書類名】明細書
【補正対象項目名】０１３２
【補正方法】変更
【補正の内容】
【０１３２】
具体的には広角端から望遠端へのズーミングに際して第１，第３乃至第５レンズ群は以下のように移動する。第１レンズ群Ｌ１は像側に移動してから物体側に往復するように移動する。第２レンズ群Ｌ２はズーミングのためには（ズーミングに際しては）不動である。第３レンズ群Ｌ３は像側に移動してから物体側に往復するように（像側に凸状の奇跡に沿って）移動する。第４レンズ群Ｌ４は物体側に移動する。第５レンズ群Ｌ５は像側に凸状の軌跡を描いて（像側に凸状の軌跡に沿って）移動する。又、実施例２と同様に第２レンズ群Ｌ２は光路折り曲げ用の反射面を含むプリズムＰを有している。
【手続補正１２】
【補正対象書類名】明細書
【補正対象項目名】０１５２
【補正方法】変更
【補正の内容】
【０１５２】
図１７において、２０はカメラ本体、２１は実施例１、３で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。